(57)【要約】  流体の流れにおける複数の化学化合物の収集、堆積及び分離に適応し、また、閉じられた体積内に挿入されることに適応し、  流体の流れが通過することを可能とする、複数のウインドウ開口（Ｓｉ）を有する複数の層（２１、…２ｎ；４１、…４ｎ）のスタックであって、システム内部の流体の流れの流速を制御すべく、隣接する複数の層は角度０α＜９０°をなし、角度は変化可能であり、かつ、制御され、隣接する複数の層の間の距離は変化可能であり、かつ、制御される、スタックと、複数の層の複数の表面上、及び閉じられた体積の複数の側壁上に液体の化学溶液の薄膜を生成すべく、閉じられた体積の内部に液体の化学溶液を噴霧するように適応された、複数の層の間に複数の広がる開口部（３１…３ｍ；５１…５ｍ）と、前記流体の流れ中で混合すべく、前記スタックの上流で化学溶液の複数の液滴を生成するシステムと、複数の液滴の衝突、及び、薄膜上の拡散により収集される複数の化学化合物の複数の粒子であって、化学溶液とともに逆流する複数の粒子と、を備えることにより特徴付けられるシステム。
2016533896.tif 000002
【特許請求の範囲】
【請求項１】
流体の流れにおいて、複数の化学化合物の収集、堆積及び分離に適応され、また、閉じられた体積に挿入されることに適応されるシステムであって、
前記流体の流れが通過することを可能とする、複数のウインドウ開口を有する複数の層のスタックであって、システム内部の流体の流れの流速を制御すべく、隣接する複数の層は角度０α＜９０°をなし、前記角度は変化可能であり、かつ、制御され、隣接する複数の層の間の距離は変化可能であり、かつ、制御される、スタックと、
前記複数の層の複数の表面上、及び前記閉じられた体積の複数の側壁上に液体の化学溶液の薄膜を生成すべく、前記閉じられた体積の内部に液体の化学溶液を噴霧するように適応された、前記複数の層の間に複数の広がる開口部と、
前記流体の流れに混合される、前記スタックの上流で化学溶液の複数の液滴を生成するシステムと、
前記複数の液滴との衝突、及び、前記薄膜上の拡散により及び収集されるべき前記複数の化学化合物の複数の粒子であって、前記化学溶液とともに逆流する前記複数の粒子と、を備えることにより特徴付けられるシステム。
【請求項２】
複数の層の前記スタックが１又は複数の以下の特徴、すなわち、
前記複数の表面が平面状、又は、非平面状であって、
隣接する複数の層の間の前記角度０α＜９０°は、前記複数の粒子の統計的な構成に依存して制御され、特に複数のより大きい角度になるとより高い割合の複数の粒子が拡散され、または、複数のより小さい角度になるとより高い割合の複数の粒子が衝突されること、
隣接する複数の層の間の前記角度を設定するために制御されるべく、前記複数の層が、前記閉じられた体積内に複数の支持部により掛けられること、を有する、
請求項１に記載のシステム。
【請求項３】
層に以下の関係が適用される、すなわち、
【数３】
2016533896.tif 000005
式中Ａは前記層の面積であって、ΣｉＳｉは前記層上の複数のウインドウの複数の面積の総和である、請求項１に記載のシステム。
【請求項４】
前記複数のウインドウ開口が、１又は複数の以下の特徴、すなわち、
同一の層にある場合でさえ、前記複数のウインドウ開口がそれらの間で異なる形状を有することと、
前記複数のウインドウ開口がネットにより覆われることと、
前記複数のウインドウ開口が、層内の不規則な位置で、他の複数の層のものとさえも異なる位置をとることと、を有する、
請求項３に記載のシステム。
【請求項５】
前記複数の広がる開口部が１又は複数の以下の特徴、すなわち、
前記複数の広がる開口部が、複数の噴霧器及び複数のノズル及び複数のタップのうちの少なくとも１つであることと、
前記複数の広がる開口部が前記閉じられた体積の前記複数の側壁上に存在することと、
前記複数の広がる開口部が、前記閉じられた体積内に長手方向に挿入され、前記複数の層を通過する、複数のバー上で得られることと、を有する、
請求項１に記載のシステム。
【請求項６】
流体の流れにおいて、複数の化学化合物の収集、堆積及び分離する方法であって、以下の段階、すなわち、
閉じられた体積内に、前記流体の流れが通過することを可能とする、複数のウインドウ開口を有する複数の層のスタックを提供する段階であって、前記流体の流れの流速を制御すべく、隣接する複数の層は角度０α＜９０°をなし、前記角度は変化可能であり、かつ、制御され、隣接する複数の層の間の距離は変化可能であり、かつ、制御される段階と、
前記閉じられた体積の内部に液体の化学溶液を噴霧し、前記複数の層の複数の表面上、及び前記閉じられた体積の複数の側壁上に液体の化学溶液の薄膜を生成すべく適応された、前記複数の層の間に複数の広がる開口部を前記閉じられた体積内に提供する段階と、
前記流体の流れ中に混合される、前記スタックの上流で化学溶液の複数の液滴を生成する段階と、
前記複数の液滴との衝突、及び、前記薄膜上の拡散により前記複数の化学化合物の複数の粒子を収集する段階であって、前記複数の粒子は前記化学溶液とともに逆流する段階と、を備えることで特徴付けられる方法。
【請求項７】
隣接する複数の表面の間の前記角度０α＜９０°は、前記複数の粒子の統計的な構成に依存して制御され、特に複数のより大きい角度になるとより高い割合の複数の粒子が拡散され、または、複数のより小さい角度になるとより高い割合の複数の粒子が衝突される、請求項６に記載の方法。
【請求項８】
表面に対し、以下の関係が適用される、すなわち、
【数４】
2016533896.tif 000006
式中、Ａは前記表面（層）の面積であって、ΣｉＳｉは前記表面上の複数のウインドウの複数の面積の総和である、請求項６に記載の方法。
【請求項９】
請求項１から５のいずれか１項に記載のシステムを備える、湿式スクラバ。
【請求項１０】
流体の流れの複数の化学化合物の収集、堆積及び分離に適応されるシステムであって、前記複数の化学化合物が汚染粒子である、請求項１から５のいずれか１項に記載のシステム。
【発明の詳細な説明】
【技術分野】
【０００１】
本発明は、流体の流れの複数の化学化合物を収集、堆積及び分離する方法及びシステムに関する。これは、複数の化学化合物を大きな固体表面に凝縮させ、複数の化学化合物を分離及び堆積することにより、流体の流れの中の化合物を分離するものである。
【背景技術】
【０００２】
異なる複数の種類のセパレータの複数のシステムが、公知であり、複数の汚染物質と複数の液滴との衝突効果に基づいて、複数の洗浄集塵システムで主に使用される、特に液体が気体と接する複数の装置が知られている。
【０００３】
しかしながら、これらの公知の複数のシステムは、特定の複数の種類の分離及び累積されるべき化学化合物の特定の複数の状態のみでの使用に限定され、異なる、かつ変化する複数の状態及び複数の表面での広範囲にわたる使用には最適化されていない。
【発明の概要】
【０００４】
従って、上述の複数の問題を解決することが可能な凝縮及び分離システムを通過して流体の流れの中に存在する複数の化合物を堆積及び分離する方法及びシステムを提案することが、本発明の主目的である。
【０００５】
本発明の基本的な着想は、流体の流束の速度を変化させることに基づいて、流体の流れ中に存在する複数の化合物を凝縮、及び、凝縮面から凝縮した物質を分離するシステム及び方法を生成する。
【０００６】
流体の流れにおける複数の化学化合物の収集、堆積、分離のための方法が、本発明の具体的な目的であり、以下の複数の段階を備えるという点で特徴付けられる。閉じられた体積に、流体の流れが通過することを可能とする、多数のウインドウ開口を有する複数の層のスタックを提供する段階であって、流体の流れの流速を制御すべく、隣接する複数の層は角度０α＜９０°をなし、角度は変化可能であり、かつ、制御され、隣接する複数の層の間の距離は変化可能であり、かつ、制御される段階と、上記閉じられた体積の内部に液体の化学溶液を噴霧し、複数の層の複数の表面上、及び閉じられた体積の複数の側壁上に液体の化学溶液の薄膜を生成すべく適応された、複数の層の間に多数の広がる開口部を上記閉じられた体積に提供する段階と、上記流体の流れ中で混合すべく、上記スタックの上流で化学溶液の複数の液滴を生成する段階と、複数の液滴の衝突、及び、薄膜上の拡散により複数の化学化合物の複数の粒子を収集する段階であって、上記複数の粒子は化学溶液ととともに逆流する段階と、を備える。
【０００７】
流体の流れにおいて、化学化合物の収集、堆積及び分離に適応され、また、閉じられた体積に挿入されることに適応されるシステムを提供するのが、本発明の更なる目的であり、システムは以下を備えることで特徴付けられる。流体の流れが通過することを可能とする、多数のウインドウ開口を有する複数の層のスタックであって、システム内部の流体の流れの流速を制御すべく、隣接する複数の層は角度０α＜９０°をなし、角度は変化可能であり、かつ、制御され、隣接する複数の層の間の距離は変化可能であり、かつ、制御される、スタックと、複数の層の複数の表面上、及び閉じられた体積の複数の側壁上に液体の化学溶液の薄膜を生成すべく、閉じられた体積の内部に液体の化学溶液を噴霧するように適応された、複数の層の間に多数の広がる開口部と、
上記流体の流れ中で混合すべく、上記スタックの上流で化学溶液の複数の液滴を生成するシステムと、複数の液滴の衝突、及び、薄膜上の拡散により収集される複数の化学化合物の複数の粒子であって、化学溶液とともに逆流する複数の粒子と、を備える。
【０００８】
本説明の不可欠な部分を形成する、添付された特許請求の範囲に記載されるように、流体の流束の速度の変化をさせることに基づいて、流体の流れの中に存在する化合物を凝縮し、凝縮面から凝縮した物質を分離するために適応された方法及びシステムの手段により、これら及び更なる複数の目的が達成される。
【図面の簡単な説明】
【０００９】
本発明は、添付の複数の図面を参照しつつ、単なる例示かつ非限定的な例の手段として与えられる、以下の詳細な説明から読み取ることにより十分に明らかになるであろう。
【００１０】
【図１】層形状の実施形態の例を示す。
【００１１】
【図２】堆積スタックを通じた液体の化学溶液の流体流の実施形態の例を示す。
【００１２】
【図３】堆積スタックの表面を洗うのにさらに使用される、堆積スタックを通じた逆流の液体の化学溶液の実施形態の例を示す。
【００１３】
【図４】液体の化学溶液の流体流を伴う別の堆積スタックの形状の実施形態の例を示す。
【００１４】
【図５】等方な液体の化学溶液の流れの流速関数の実施形態の例を示す。
【００１５】
【図６】複数の層の上流で複数の液滴の流れを生成するためのシステムの実施形態の例を示す。
【００１６】
複数の図中の同一の複数の参照番号と複数の文字は、同一又は機能的に等価な複数の部分を指定する。
【発明を実施するための形態】
【００１７】
以下では、本発明の方法及びシステムの複数の実施形態のいくつかの非限定的な例が説明される。
【００１８】
本発明のシステムは、流体の流束の速度を変化させることに基づいて、流体の流れ中に存在する複数の化合物の凝縮のため、及び、凝縮した物質を凝縮面から分離するために適応され、基本的に以下で説明される複数の要素を備える。
【００１９】
システムは、例えば、円筒形状、又は平行六面体形状、又はカスタムで標準的でない形状の所与の形状を有し、「堆積スタック」と命名され、閉じられた体積中に挿入される。
【００２０】
堆積スタックは、少なくとも流体の流れが体積中に入ることを可能とする、表面領域及び、少なくとも流体の流れがそこから逃れることを可能とする表面領域を有する。
【００２１】
堆積スタックは、水又は、一般に液体の化学溶液を注入し、入り口である表面領域から液体を放出する、水力システムを内部に有する。
【００２２】
堆積スタックは、それらの上に存在する複数のウインドウ開口により、流体の流れ、及び液体が通過するのを可能とする、複数の層のスタックを内部に有する。
【００２３】
水力システムは、水、及び／又は液体の化学溶液を堆積スタックの内部に、複数の層の間にさえも噴霧するのに適応された、複数の層の間（内部）、また、好ましくは、閉じられた体積の複数の側壁上にも存在する、複数の噴霧器及び／又は複数のノズル、及び／又は複数のタップのような、複数の広がる開口部に提供される。
【００２４】
複数の層のスタックは、１又は複数の以下の特徴によって、特徴付けられることが好ましい。
【００２５】
複数の層の複数の表面は、平面状（図２、図３における表面２１、・・・２ｎ）、又は、非平面状（図４における表面４１、・・・４ｎ）であり得る。
【００２６】
スタック中で、隣接する複数の層の間の距離は、変化可能で、かつ、制御可能である。
【００２７】
スタックにおいて、隣接する複数の層は、０α＜９０°である角度αを形成し、角度は、分離されるべき複数の粒子の統計的な構成（例えば、汚染粒子）に依存して決定され、かつ、可変である。以下で説明するように、特に複数のより大きい角度では拡散される複数の粒子がより高い割合であり（すなわち、大きな産業プラントにおける無機物質、ＰＭ１）、複数のより小さい角度では、より高い割合の複数の粒子が衝突されることとなる。
【００２８】
複数の層は、隣接する複数の層の間の角度の設定が制御されるように構成された適切な支持部により、堆積スタックに掛けられる。可能な実施形態において、複数の支持部は、以下で説明される複数のバーであり得る。
【００２９】
複数のウインドウ開口Ｓｉ（図１）は、１又は複数の以下の特徴により特徴付けられることが好ましい。
【００３０】
複数のウインドウ開口は、等周不等式に関し、例えば円から三角形状までの、それらの間でも異なる定義された形状を有する。
【００３１】
複数のウインドウ開口は、5mmより小さい、メッシュを有するネットで覆われる。
【００３２】
全ての表面（層）は少なくとも１つのウインドウ開口を含む。 
【００３３】
全ての表面（層）は、多様な形状の複数のウインドウ開口を有し得る。
【００３４】
単一の層に複数のウインドウ開口の配置をすることは、同じスタックの堆積が別の層に複製されない場合でさえ、標準的でないことであり得る。連続する層において、複数のウインドウの位置は異なり得る。
【００３５】
水力システムは、１又は複数の以下の特徴で特徴付けられることが好ましい。
【００３６】
広がる開口部（噴霧器及び／又はノズル及び／又はタップ）は、複数の層の間（内部）に存在して、また閉じられた体積の側壁上にも存在することが好ましい。例えば、図２、図３、及び図４において、複数の噴霧器及び／又は複数のノズル及び／又は複数のタップは、体積中に実質的に長手方向に挿入され、複数の層を通過する、多数のバー（３１，…３ｍ；５１，…５ｍ）上で得られる。複数の噴霧器及び／又は複数のノズル及び／又は複数のタップにより、実質的に、複数の層の複数の表面、及び、好ましくは体積の複数の側壁を洗浄し、逆流中に収集された複数の粒子を排出するため、水又は液体の化学溶液は、複数の層の間の体積の内部に噴霧される。複数の広がる開口部の形式は、複数の層の全表面上に、さらには体積の複数の側壁上にさえも、可能な限り多くの溶液を噴霧すべく、噴霧されるべき流体の種類に依存して決定される。閉じられた体積中のスタックの複数の層の調整可能な傾きは排出する効果を増大する利点を有する。
【００３７】
システムにおいて、２つの対向する流れの方向が存在する。すなわち、水又は液体の化学溶液の逆流（図３）、及び、複数の液滴の流体、及び、収集されるべき複数の粒子を有する気体の順流であり、化学溶液及び主要な流れの湿式混合を得て、複数の層及び閉じられた体積の複数の側壁の表面上に堆積する薄い湿った薄膜を生成する。分離されるべき複数の粒子は、衝突により析出するものとして複数の液滴により、及び、複数の層の複数の表面に堆積するものとして薄膜により、その両方で収集され、逆方向に流れる。
【００３８】
複数の液滴の前方流は、主要な流れの方向に関して、堆積スタックの上流の領域で、任意の適切な装置により生成される。
【００３９】
複数の液滴の流れを生成するための装置の非限定的な例が、同じ出願人の名前で、２０１２年１１月６日に出願されたイタリア特許出願第ＭＩ２０１２Ａ００１８９３号により説明され、ここで参照によりその全体が組み込まれる。
【００４０】
図６（引用した前の特許出願の図２）を参照すると、閉じられた体積の内部に液体溶液を注入可能で、マニホールド１０９から体積内部を流れる複数の液滴を生成するように、閉じられた液体溶液のポンプシステムが示される。
【００４１】
噴霧器２１１を有する多数の管が、液体を噴霧し、複数の液滴を生成し、及び、滴下される複数の粒子を含む気体と混合し、堆積スタックの複数の層の上流に流体を生成し、所与の注入速度で後者を通過すべく、マニホールド上に分配される。
【００４２】
用途の特定のフレームワークに依存して、結果的に湿度が与えられても、湿度が与えられなくても、堆積スタックの複数の層の内部で、乱流が生成され、全ての粒子が収集され、全ての液滴が体積の複数の内部表面上に落ちて、堆積スタックの下流で、複数の粒子を抽出された気体が流れ去る。
【００４３】
複数の液滴を生成するために注入される化学溶液は、上に説明される複数の広がる開口部を通じて噴霧されるものと同一の種類であることが好ましい。
【００４４】
システムは、複数の粒子及び複数の液滴の相対速度を制御すべく適応される。複数の層の間の距離を変化させることにより、最小流速が制御される。すなわち、距離が大きくなるほど、流速が低くなる。複数の層上の複数のウインドウ開口の複数の寸法及び複数の位置を変化させることにより、最大流速が制御される。すなわち、複数のウインドウ開口の寸法が小さくなるほど、最大流速が高くなる。
【００４５】
従って、以下でより詳しく説明されるように、複数の層の間の複数の距離及び複数の角度、及び、拡散プロセスの量を制御することにより、処理される複数の粒子の種類に依存し、また、時間を変化させることに適応される関数を得ることが可能である。
【００４６】
本発明の適した態様によって、堆積スタックの複数の幾何学的パラメータに、流れの化学的構成の代わりに作用して適応可能性が得られる。後者は、処理される粒子の特定の複数の種類に依存して、実質的に複数の触媒物質の水溶液に本質的に公知である。
【００４７】
処理されるべき複数の粒子は、例えば、汚染物質の複数の粒子、すなわち、ＰＭ１…ＰＭ１０、ＳＯｘ、ＮＯｘ、オゾン、炭化水素、メタン、ベンゼン、等…）及び、法定の複数の汚染物質である。他の複数の事例において、例えば、複数の産業流動流体又は気体の変換のための複数の処理がある。
【００４８】
システムは、得られる処理を妨げないように、例えば、複数のポリマー、又はステンレス鋼のような複数の不活性物質により実装され得る。
【００４９】
本発明の方法は、流体の流束の速度を変化させることに基づいて、流体の流れ中に存在する化合物の凝縮、及び、凝縮面からの凝縮した物質の分離に適応され、基本的に以下で説明される複数の段階を備える。
【００５０】
本発明の堆積スタックは、堆積スタック内へ及び、堆積スタックの表面内へ存在する液体溶液の複数の液滴の両方における複数の粒子（例えば、汚染粒子）の収集に適応される。液体溶液の複数の液滴のサイズは非常に小さく、すなわち、複数の液滴は、１０μｍより小さく、堆積スタック内へと流れることが可能である。これらの液体溶液の複数の液滴は堆積スタックの全自由表面を完全に濡らす。さらに、全表面が濡れ、洗い流すことを保証する、幾つかの液体溶液注入器が堆積スタックの内部に存在する。
【００５１】
複数の粒子は、主に、以下により詳しく説明される、衝突効果及び拡散効果により収集される。
【００５２】
より具体的に、衝突効果に関する限り、堆積スタックにおいて、複数の粒子（特に複数の汚染粒子）は、流体流の流れの複数の流線に従いやすい。しかしながら、複数の液滴が、流れへと導入される場合、それらは、液体の化学溶液の複数の液滴の周囲に分散するため、粒子は常にこれらの流線に従わない。粒子の質量に起因して、それらは流線から離脱して、液滴と衝突する。
【００５３】
衝突効果は、複数の粒子の直径が増大するにつれて、及び複数の粒子及び複数の液滴の相対速度が増大するにつれて、増大する。
【００５４】
複数の粒子はより大きくなると、複数の液滴の周囲の流体流の流線により従いにくくなる。また、粒子は液滴に対し相対的により速く移動すると、粒子が液滴にぶつかる可能性がより大きくなる。衝突は、堆積スタックにおいて、特に０．３ｍ／ｓより大きな流速を有する流体流についての非常に効果的な収集機構である。
【００５５】
この範囲の流れの速度において、より大きな直径の粒子、すなわち、１．０μｍより大きな直径を有する粒子が収集される。また、衝突は、液体溶液の複数の液滴の密度を増大させる。複数の液滴の衝突効果と同様に、堆積スタックの全表面上の衝突が存在する。液体の化学溶液の薄膜は、堆積スタックの全表面上に存在する。次に、表面に衝突する全ての粒子が収集される。
【００５６】
拡散効果に関する限り、非常に小さな複数の粒子（特に、０．１μｍより小さい直径の複数の汚染粒子）が、流体流の流れ内の無作為な運動である、ブラウン運動を経験する。これらの粒子は、小さいため流体流の流れ中に移動すると、流体流の複数の分子により激突される。激突により、粒子が異なる複数の方向にランダムに移動させられ、又は、流体流を通じて拡散させられる。この不規則な運動は、粒子に液滴と衝突し、収集されることを引き起こし得る。このために、拡散は、衝突のように、堆積スタック中で、特に０．１μｍより小さい複数の粒子に対して、非常に効果的な収集機構である。
【００５７】
拡散率は、複数の粒子と液体溶液の複数の液滴との間の相対速度、及び液体の化学溶液の液滴の直径に依存する。
【００５８】
複数の液滴における拡散効果についてと同様に、堆積スタックの全表面上で拡散が存在する。液体の化学溶液の薄膜は堆積スタックの全表面上に存在する。次に、表面に拡散する全ての粒子は液体の化学溶液の薄膜により収集される。
【００５９】
衝突及び拡散効果の両方のために、相対速度の増加、及び、液滴のサイズの減少とともに、収集効率が増大する。
【００６０】
本発明の堆積スタックの主な特性は、複数の液滴の衝突、及び大きな表面の薄い液体膜上の拡散と称される、両方の効果を使用することである。
【００６１】
別の特性として、相対速度は粒子の収集についての基本的なパラメータであるように、堆積スタック全体を通じて変化する流速を得ることが可能であるという堆積スタックの特性がある。従って、正しい流速関数の設定のみにより特定の複数の粒子の収集を可能とする、正しい流速関数を有する堆積スタックをセットアップすることが可能である。加えて、適切な流速関数を設定することにより、異なる複数の種類の複数の粒子の収集が可能である。
【００６２】
図５に流速関数の例が説明される。これは、最大流速及び最小流速が定数である、等方的な堆積スタックの事例である。説明される堆積スタックにおいて、無数の多様な流速関数を生成することが可能となる。
【００６３】
図５の関数パラメータＶｍａｘ及びＶｍｉｎは、最大速度及び、最小速度の絶対値を表す。最もよく使用される設定では、処理される複数の粒子の種類に依存して、幾つかの相対最小速度Ｖｍｉｎがあり、幾つかの相対最大速度Ｖｍａｘがある。複数のウインドウ開口の寸法に作用することで、相対的なＶｍａｘを設定することが可能であり、一方、連続する層の距離に作用することで、相対的なＶｍｉｎを設定することが可能である。これらの設定は、正確なモードで、ターゲットとなる複数の粒子に影響し、同時に、多数の粒子が処理され、かつ収集されるようにすることを許容する。
【００６４】
従って、異なる複数のパラメータが、粒子の寸法の変化に依存して、様々な層に沿って、設定され得る。以下は、流体の流束の速度を変化させることに基づいて、流体の流れに存在する化合物を凝縮し、凝縮面から凝縮した物質を分離する方法の一般的な複数の原理である、本発明の主題である。
【００６５】
Ｓ及びＰがそれぞれ一般的なウインドウ開口の、面積と周長とすると、図１において、例として、面積Ｓｉ、及び、周長Ｐｉ＝ａｉ＋ｂｉ＋ｃｉの複数のウインドウ開口を有する。次に、以下の等周不等式が必ず成り立つ。
【数１】
2016533896.tif 000003
Ａは、堆積スタックの一般的な単一の層の面積とすると、図１において、面積Ａ、周長Ｐ＝ａ＋ｂ＋ｃ＋ｄ＋ｅ＋ｆ＋ｇを有する一般的な層の例を得る。次に、以下の不等式が必ず成り立つ。
【数２】
2016533896.tif 000004
本発明の方法及びシステムは、一般に多様な装置、例えば、公知の複数の湿式スクラバのような装置に適用出来る。
【００６６】
一般に複数のスクラバは、産業排気の複数の流れから複数の汚染物質、及び／又は、複数の気体を取り除くのに使用され得る、流れる気体の制御装置である。例えば空気から二酸化炭素を取り除くための空気のスクラバがある。
【００６７】
さらなる実装の複数の詳細は説明されないが、当業者は、上述の説明の教示から始めて、発明を実施することは可能である。
【００６８】
これらの好ましい実施形態を開示する明細書、及び、添付の図面を考慮した後、主題の発明の多くの複数の変化、複数の修正、複数の変更、及び他の複数の用途及び複数の応用が、当業者に明らかになるであろう。そのような複数の変化、複数の修正、複数の変更及び他の複数の用途及び複数の応用の全ては、本発明の範囲から逸脱するものではなく、本発明により包含されるものと考えられる。
【００６９】
例えば、システムの主な用途は、鉛直に向き付られた閉じられた体積及び主要な流れにおいてであるが、しかしながら、任意の他の向き付けが可能であり、水平であってさえよい。
【００７０】
複数の好ましい実施形態の様々な形式で説明される複数の要素及び特性が、本発明の範囲から逸脱せず、相互に組み合わせられ得る。
【図１】
2016533896.tif 000007
【図２】
2016533896.tif 000008
【図３】
2016533896.tif 000009
【図４】
2016533896.tif 000010
【図５】
2016533896.tif 000011
【図６】
2016533896.tif 000012
【国際調査報告】
2016533896.tif 000013
2016533896.tif 000014
2016533896.tif 000015